(57)【要約】【課題】流水路を流れる凝縮水の流速を適正に調整することができる空気調和装置の室内機を提供する。【解決手段】本体内にて凝縮したドレン水を受けて排出する流水路５を備え、流水路５の底面５ａには、流水路５の一部を遮るリブ１１が設けられている。底面５ａは、長手方向の一方向に向かって全体が傾斜するとともに、長手方向に直交する幅方向の一方向に向かって全体が傾斜する。リブ１１は、幅方向の一方向側に位置する壁部５ｂに接して設けられている。リブ１１は、壁部５ｂの延在方向に直交する方向に延在する。【選択図】図３
2018189280.tif 000002
【特許請求の範囲】
【請求項１】
本体内にて凝縮した水を受けて排出する流水路を備え、
前記流水路の底面には、該流水路の一部を遮る突起が設けられていることを特徴とする空気調和装置の室内機。
【請求項２】
前記底面は、長手方向の一方向に向かって全体が傾斜するとともに、該長手方向に直交する幅方向の一方向に向かって全体が傾斜することを特徴とする請求項１に記載の空気調和装置の室内機。
【請求項３】
前記突起は、前記幅方向の前記一方向側に位置する壁部に接して設けられていることを特徴とする請求項２に記載の空気調和装置の室内機。
【請求項４】
前記突起の中間位置に切欠が形成されていることを特徴とする請求項３に記載の空気調和装置の室内機。
【請求項５】
前記突起は、タイル状に並べられていることを特徴とする請求項２に記載の空気調和装置の室内機。
【発明の詳細な説明】
【技術分野】
【０００１】
本発明は、ドレン水を排出する流水路を備えた空気調和装置の室内機に関するものである。
【背景技術】
【０００２】
空気調和装置の室内機には、冷房時等に熱交換器等にて凝縮したドレン水を集めて外部に排出するための流水路が設けられている。下記特許文献１及び２には、流水路を一方向に傾斜させてドレン水を排水する発明が開示されている。
【先行技術文献】
【特許文献】
【０００３】
【特許文献１】国際公開第２０１５／１３６７１１号
【特許文献２】特開２０１５−１０２２５７号公報
【発明の概要】
【発明が解決しようとする課題】
【０００４】
しかし、室内機が傾いて据え付けられると、傾斜が急になった場合にはドレン水の流速が大きくなり流水路からドレン水が漏出するおそれがあり、傾斜が緩やかになった場合には排水が円滑に行われないおそれがある。
【０００５】
本発明は、このような事情に鑑みてなされたものであって、流水路を流れる凝縮水の流速を適正に調整することができる空気調和装置の室内機を提供することを目的とする。
【課題を解決するための手段】
【０００６】
上記課題を解決するために、本発明の空気調和装置の室内機は以下の手段を採用する。
すなわち、本発明にかかる空気調和装置の室内機は、本体内にて凝縮した水を受けて排出する流水路を備え、前記流水路の底面には、該流水路の一部を遮る突起が設けられていることを特徴とする。
【０００７】
室内機の内部で凝縮した水は流水路へと導かれ室内機の外部へと排出される。流水路の底面には、流水路の一部を遮る突起が設けられているので、流水路を流れる水の流速を調整することができる。例えば、流速が大きすぎて水が流水路を越えて漏出してしまうことを防止することができる。
突起は、水の流れ方向に所定間隔を有して複数設けることが好ましい。
【０００８】
さらに、本発明の空気調和装置の室内機では、前記底面は、長手方向の一方向に向かって全体が傾斜するとともに、該長手方向に直交する幅方向の一方向に向かって全体が傾斜することを特徴とする。
【０００９】
流水路の底面を長手方向の一方向に向かって全体を傾斜させるとともに、幅方向の一方向に向かって全体を傾斜させるようにしたので、流水路に流れ込んだ水は、長手方向に一方向に集められるとともに幅方向の一方向に集められる。したがって、底面に突起を設ける際に、水の流速を調整するために効果的な位置に設定することができる。
【００１０】
さらに、本発明の空気調和装置の室内機では、前記突起は、前記幅方向の前記一方向側に位置する壁部に接して設けられていることを特徴とする。
【００１１】
幅方向の一方向側に位置する壁部は、底部の幅方向において最も低い位置となるので水が集まる位置となる。この壁部に接するように突起を設けることで、効果的に水の流速を調整することができる。
突起は、壁部の延在方向に対して直交する方向に設けても良い。または、壁部の延在方向に対して直交する方向に対して所定角度傾斜させて延在させても突起部を設けても良い。水の流れ方向に向かうように突起を傾斜させると、突起による流れ抵抗が大きくなり流速をより低減できる。水の流速の低減効果を控えたい場合には、水の流れ方向に沿うように傾斜させて突起を設けると良い。
【００１２】
さらに、本発明の空気調和装置の室内機では、前記突起の中間位置に切欠が形成されていることを特徴とする。
【００１３】
突起の中間位置に切欠を形成することで、切欠を水が通過する際に流速を低減することができる。この切欠の大きさを適宜変更することによって水の流速を調整することができる。
【００１４】
さらに、本発明の空気調和装置の室内機では、前記突起は、タイル状に並べられていることを特徴とする。
【００１５】
突起をタイル状に並べることで、突起間を流れる水の流速を低減することができる。突起間の間隔を適宜変更することによって水の流速を調整することができる。
【発明の効果】
【００１６】
流水路の底面に流水路の一部を遮る突起を設けることとしたので、流水路を流れる凝縮水の流速を適正に調整することができる。
【図面の簡単な説明】
【００１７】
【図１】本発明の一実施形態に係る空気調和装置の室内機を示した斜視図である。
【図２】図１の室内機の内部を示した斜視図である。
【図３】流水路が部分拡大して示されており、（ａ）は平面図、（ｂ）は斜視図である。
【図４】第１変形例の流水路が部分拡大して示されており、（ａ）は平面図、（ｂ）は斜視図である。
【図５】第２変形例の流水路が部分拡大して示されており、（ａ）は平面図、（ｂ）は斜視図である。
【図６】第３変形例の流水路が部分拡大して示されており、（ａ）は平面図、（ｂ）は斜視図である。
【発明を実施するための形態】
【００１８】
以下に、本発明にかかる一実施形態について、図面を参照して説明する。
図１には、空気調和装置の室内機１の外観が示されている。室内機１は、壁掛形とされており、上方から室内空気を吸い込み、下方から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１９】
図２には、室内機１の本体の内部が示されている。同図では、室内熱交換器やファンが取り外された状態が示されている。室内の壁部に設置されるベースプレート３には、室内熱交換器等にて凝縮したドレン水が導かれる流水路５が形成されている。流水路５は、ベースプレート３の左右方向（水平方向）に延在する溝部とされている。
【００２０】
流水路５は、室内機１の左端において下方へ向かうように形成されている。この流水路５の下端から流下するドレン水を受けるように、ベースプレート３の下方にドレンパン７が設けられている。ドレンパン７は、ドレン水を一時的に貯留して室内機１の外部へ排出する。
【００２１】
流水路５の底面は、左側が下方となるように長手方向の全体が傾斜しており、かつ、手前側（室内機前方側）が下方に幅方向の全体が傾斜している。これによりドレン水が左方でかつ手前側へと導かれるようになっている。なお、流水路５の傾斜方向はもちろん右方や奥側（室内機後方側）としても良い。
【００２２】
図３には、流水路５の部分拡大図が示されている。流水路５は、室内機１の手前側（同図において上方）に壁部５ｂが形成されており、この壁部５ｂに沿ってドレン水は左方から右方へと流れる。すなわち、流水路５の底面５ａは、左方から右方に向かうＤ１方向に下方へ傾斜しており、かつ、室内機１の手前側に向かうＤ２方向に下方へ傾斜している。
【００２３】
流水路５の底面には、上方に突出するリブ（突起）１１が設けられている。リブ１１は、壁部５ｂの長手方向に所定間隔をおいて複数設けられている。リブ１１は、壁部５ｂに接し、壁部５ｂの延在方向に対して直交する方向に延在している。リブ１１の延在方向の長さは、流水路５の幅よりも小さくされており、流水路５の一部を遮るようになっている。リブ１１によって、矢印で示すように、ドレン水がリブ１１を迂回するように流れる。これにより、流水路５を流れるドレン水の流速が低減される。
【００２４】
上述の室内機１によれば、以下の作用効果を奏する。
流水路５の底面５ａに流水路５の一部を遮るリブ１１を設けることとしたので、流水路５を流れるドレン水の流速を調整することができる。これにより、底面５ａの傾斜が想定以上に大きく傾斜して室内機１が設置された場合であっても、ドレン水の流速が大きすぎてドレン水が流水路５を越えて漏出してしまうことを防止することができる。
【００２５】
流水路５の底面５ａを長手方向の一方向に向かって全体を傾斜させるとともに、幅方向の一方向に向かって全体を傾斜させるようにしたので、流水路５に流れ込んだドレン水は、長手方向に一方向に集められるとともに幅方向の壁部５ｂ側に集められる。したがって、底面５ａにリブ１１を設ける際に、ドレン水の流速を調整するために効果的な位置に設定することができる。
【００２６】
壁部５ｂは、底面５ａの幅方向において最も低い位置となるのでドレン水が集まる位置となる。この壁部５ｂに接するようにリブ１１を設けることで、効果的に水の流速を調整することができる。
また、リブ１１の長さや高さを変化させることで、ドレン水の流速を調整することができる。
【００２７】
なお、本実施形態のリブ１１の形状は、以下のように変形することができる。
【００２８】
［第１変形例］
図４に示すように、壁部５ｂの延在方向に対して直交する方向に対して所定角度θだけ傾斜させてリブ１２を設置しても良い。同図に示したように水の流れ方向に沿うようにリブ１２を傾斜させて突起を設けると、ドレン水の流速の低減効果を抑えることができる。
また、図４に示した方向と反対方向に傾斜させて水の流れ方向に向かうようにリブを傾斜させると、リブによる流れ抵抗が大きくなり流速をより低減できる。
【００２９】
［第２変形例］
図５に示すように、リブ１３の中間位置に切欠１３ａを形成しても良い。
切欠１３ａをドレン水が通過する際に流速を低減することができる。この切欠１３ａの大きさを適宜変更することによってドレン水の流速を調整することができる。
【００３０】
［第３変形例］
図６に示すように、リブ１４をタイル状に並べても良い。
リブ１４をタイル状に並べることで、リブ１４間を流れるドレン水の流速を低減することができる。同図に示すように、リブ１４を千鳥状に配置することで、よりドレン水の流速の低減効果を得ることができる。
また、リブ１４間の間隔を適宜変更することによって水の流速を調整することができる。なお、リブ１４の形状は、同図に示したように平面視した場合に四角形状とされている場合に限らず、３角形や５角形以上の多角形としても良いし、円形や楕円形としても良い。
【符号の説明】
【００３１】
１  室内機
３  ベースプレート
５  流水路
５ａ  底面
５ｂ  壁部
７  ドレンパン
１１，１２，１３，１４  リブ（突起）
１３ａ  切欠
【図１】
2018189280.tif 000003
【図２】
2018189280.tif 000004
【図３】
2018189280.tif 000005
【図４】
2018189280.tif 000006
【図５】
2018189280.tif 000007
【図６】
2018189280.tif 000008